(57)【要約】【課題】  不正利用を防止することが可能な情報処理装置を提供する。【解決手段】  情報を取得する情報取得部と、表示部と、装置本体に着脱可能であり、前記装置本体に電力供給する主電源部と、前記装置本体の作動停止を指示する指示部と、前記指示部による指示に基づいて、前記表示部の表示は禁止させ、前記情報取得部による情報取得を開始させる制御部と、前記情報取得中に前記主電源部が取り外された場合に警告する警告部と、前記主電源部が前記装置本体から取り外された際に、前記警告部に電力を供給する副電源部とを備える。【選択図】  図１
2010199652.tif 000002
【特許請求の範囲】
【請求項１】
情報を取得する情報取得部と、
表示部と、
装置本体に着脱可能であり、前記装置本体に電力供給する主電源部と、
前記装置本体の作動停止を指示する指示部と、
前記指示部による指示に基づいて、前記表示部の表示は禁止させ、前記情報取得部による情報取得を開始させる制御部と、
前記情報取得中に前記主電源部が取り外された場合に警告する警告部と、
前記主電源部が前記装置本体から取り外された際に、前記警告部に電力を供給する副電源部とを備えること
を特徴とする情報処理装置。
【請求項２】
請求項１に記載の情報処理装置において、
前記情報取得部は、前記指示部を指示する際に指紋を取得する指紋取得部を有し、
前記指紋取得部により取得された指紋と予め登録されている指紋とを照合する指紋照合部をさらに備え、
前記制御部は、前記指紋照合部による照合結果が一致しない場合に前記情報取得部による情報取得を開始させること
を特徴とする情報処理装置。
【請求項３】
請求項１または請求項２に記載の情報処理装置において、
前記情報取得部が取得した情報を予め登録されている送信先に送信する送信部をさらに備えること
を特徴とする情報処理装置。
【請求項４】
請求項３に記載の情報処理装置において、
外部機器から送信された情報取得指示を受信する受信部をさらに備え、
前記送信部が前記送信先に情報を送信した後に前記受信部が前記情報取得指示を受信した際は、前記制御部は前記情報取得部による情報取得を再び開始すること
を特徴とする情報処理装置。
【請求項５】
請求項１から請求項４のいずれか１項に記載の情報処理装置において、
前記情報取得部は、動画を撮影する動画撮影部を有し、
前記制御部は、前記動画撮影部による動画撮影が開始したことを報知しないこと
を特徴とする情報処理装置。
【発明の詳細な説明】
【技術分野】
【０００１】
本発明は、情報処理装置に関する。
【背景技術】
【０００２】
盗難等による不正利用を防止するため、異常事態または緊急事態を検知すると内蔵カメラが作動する携帯電話機が提案されている（特許文献１）。
【先行技術文献】
【特許文献】
【０００３】
【特許文献１】特開２００５−３１１９９５号公報
【発明の概要】
【発明が解決しようとする課題】
【０００４】
しかしながら、内蔵カメラが作動する際、携帯電話機の表示パネルに撮影画像が表示されたりすると、内蔵カメラが作動していることが盗難者に知られてしまうおそれがあり、不正利用を防止できないという問題があった。
【課題を解決するための手段】
【０００５】
本発明の情報処理装置は、情報を取得する情報取得部と、表示部と、装置本体に着脱可能であり、前記装置本体に電力供給する主電源部と、前記装置本体の作動停止を指示する指示部と、前記指示部による指示に基づいて、前記表示部の表示は禁止させ、前記情報取得部による情報取得を開始させる制御部と、前記情報取得中に前記主電源部が取り外された場合に警告する警告部と、前記主電源部が前記装置本体から取り外された際に、前記警告部に電力を供給する副電源部とを備えることを特徴とする。
【発明の効果】
【０００６】
本発明によれば、不正利用を防止することが可能な情報処理装置を提供することができる。
【図面の簡単な説明】
【０００７】
【図１】本発明の最良の実施の形態によるデジタルカメラの構成の概略を示すブロック図である。
【図２】本発明の最良の実施の形態によるデジタルカメラにおいて、電源ＯＦＦスイッチがＯＮに操作されたときに行われる情報取得処理の概略を示すフローチャートである。
【発明を実施するための形態】
【０００８】
本発明による情報処理装置をデジタルカメラに適用した場合における最良の実施の形態について説明する。
【０００９】
図１は、この最良の実施の形態によるデジタルカメラ１の構成の概略を示すブロック図である。
【００１０】
デジタルカメラ１は、筐体内部にバックアップ電池２０を予め内蔵していると共に、メイン電池２１がデジタルカメラ１の電池室に着脱自在な状態で装着されている。メイン電池２１は、デジタルカメラ１の装置本体に電力供給する主電源部を構成しており、バックアップ電池２０は、デジタルカメラ１における内蔵時計の計時処理および外部との無線通信といった所定動作に必要な電力の供給を８bitマイコン（マイクロ・コンピュータ）２および無線部１５へ行う補助電源を構成している。なお、同図において矢印が付いた細い実線は信号線、矢印が付いた太い実線は電力供給線を示している。
【００１１】
デジタルカメラ１は、デジタルカメラ用途に向けてマイコンを内蔵して設計・製作されたＡＳＩＣ（Application Specific Integrated Circuit）３を備えて構成されている。
【００１２】
被写体からの光は、レンズから構成される鏡筒部４を介してデジタルカメラ１内に取り込まれる。鏡筒部４には図示しないレンズバリアが設けられており、撮影動作が行われないときにカメラ表面に露出するレンズが保護される。デジタルカメラ１内に取り込まれた被写体光は、撮像部５の撮像面上に被写体像を投影する。撮像部５の撮像面上における被写体像のピント調節、ズーム、および露出調節は、本実施形態では、デジタルカメラ１の筐体に内蔵された鏡筒部４において、焦点調節レンズ、ズームレンズ、および絞りが動くことで、行われる。上述したレンズバリアや、鏡筒部４内の各レンズ、絞りの駆動制御は、モータ制御部６により行われる。
【００１３】
撮像部５は、ＣＣＤ（Charge Coupled Device）やＣＭＯＳ（Complementary Metal Oxide Semiconductor）などからなり、画像を撮影する撮影手段を構成している。撮像部５の撮像面上に結像した被写体像はアナログの撮像信号に変換され、変換された撮像信号はデジタル信号に変換される。ＡＳＩＣ３では、デジタル信号に変換された撮像信号に対して、ホワイトバランス処理やガンマ補正、圧縮処理などの画像処理が行われ、撮影された画像の画像データが生成される。圧縮処理では、画像データはＲＡＷデータからＪＰＥＧ(Joint Photographic Experts Group)データなどへ変換される。ＡＳＩＣ３によって生成された画像データは、バッファメモリである揮発性のＳＤＲＡＭ（Synchronous Dynamic Random Access Memory）７に一旦格納された後、デジタルカメラ１に着脱自在なメモリカードなどの記録部８に保存される。
【００１４】
ＡＳＩＣ３には、指紋検出センサ部９、フラッシュメモリ１０、位置情報検出部１１、音声入出力部１２およびスイッチ操作部１３が接続されている。スイッチ操作部１３は、デジタルカメラ１の電源投入の際に操作される電源ＯＮスイッチおよび電源を切る際に操作される電源ＯＦＦスイッチなどを含んで構成されている。これら電源ＯＮスイッチおよび電源ＯＦＦスイッチは、撮影動作に必要なメイン電池２１からの電力の供給を断続して、デジタルカメラ１の装置本体の作動停止を指示する指示部を構成している。指紋検出センサ部９は、指示部である電源スイッチを操作する際に操作者によって触れられる箇所に設けられており、電源スイッチの操作により指示部を指示する際に、デジタルカメラ１本体に触れた操作者の指の指紋を取得する指紋取得部を構成している。フラッシュメモリ１０は、データの読み書きが可能な不揮発性のＥＥＰＲＯＭ（Electrically Erasable Programmable ＲＯＭ）からなり、ＡＳＩＣ３内のマイコンが種々の制御処理を行う際のプログラムであるファームウェアや、操作者によって設定されるメニュー項目の内容などを記憶している。本実施形態では、フラッシュメモリ１０は、これらに加え、デジタルカメラ１の所有者などの正当利用者の指紋データを記憶している。ＡＳＩＣ３は、指紋検出センサ部９により取得された指紋と予めフラッシュメモリ１０に登録されている指紋とを照合する指紋照合部を構成している。位置情報検出部１１は、人工衛星からの電波を利用して現在位置を特定するＧＰＳ（Global Positioning System）から構成されており、デジタルカメラ１の現在位置を検出する。また、音声入出力部１２は、デジタルカメラ１の周囲に生じる音などを入力するマイク、およびデジタルカメラ１の動作音や再生音などを出力するスピーカを備えて構成されている。撮像部５、位置情報検出部１１，音声入出力部１２，およびＡＳＩＣ３は、デジタルカメラ１の周囲の情報を、画像，位置情報，および音として取得する情報取得部を構成している。また、撮像部５は、動画を撮影する動画撮影部を構成している。
【００１５】
ＡＳＩＣ３は、指示部による指示に基づいて後述する表示部１４の表示は禁止させ、情報取得部による情報取得を開始させる制御部を構成している。本実施形態では、このＡＳＩＣ３は、指紋照合部による照合結果が一致しない場合に、デジタルカメラ１の周囲の情報の取得に必要な回路にメイン電池２１から電力を供給させた状態で、情報取得部による情報取得を開始させる制御を行う。また、本実施形態では、ＡＳＩＣ３は、動画撮影部による動画撮影が開始したことを報知しない構成になっている。
【００１６】
また、ＡＳＩＣ３には、表示部１４、無線部１５、Ｉ／Ｆ部１６および電源ランプ１７が接続されている。表示部１４は、撮像部５によって撮像されてＳＤＲＡＭ７に一時記憶されている撮影画像や、フラッシュメモリ１０に記憶されているメニュー項目などを表示するＴＦＴ（Thin Film Transistor）液晶モニタからなる。電源ランプ１７は、電源ＯＮスイッチがＯＮにされるとＡＳＩＣ３の制御によって点灯され、電源ＯＦＦスイッチがＯＮにされるとＡＳＩＣ３の制御によって消灯されて、電源スイッチの操作状態を表示する。表示部１４および電源ランプ１７は、所定情報の表示を行う表示部を構成している。情報取得手段によってデジタルカメラ１の周囲の情報が取得される際、ＡＳＩＣ３は、表示部１４に情報を表示させず、電源ランプ１７を点灯させないで、かつ、デジタルカメラ１に画像を撮影させる際のレリーズ音を生じさせないことで、外部から認識される変化をデジタルカメラ１に生じさせないようにする。
【００１７】
無線部１５は、外部機器から送信された情報取得指示をＡＳＩＣ３の制御によって受信する受信部を構成していると共に、情報取得部が取得した情報をＡＳＩＣ３の制御によって、予め登録されている送信先に送信する送信部を構成しており、外部機器との間で無線によりデータの送受信を行う。本実施形態では、無線部１５が送信先に情報を送信した後に無線部１５が情報取得指示を受信した際は、ＡＳＩＣ３は、情報取得部による情報取得を再び開始する。無線部１５は、８bitマイコン２にも接続されており、電源ＯＦＦスイッチがＯＮにされてメイン電池２１から回路各部への電力供給が断たれると、バックアップ電池２０からの電力供給を受けながら８bitマイコン２により制御されて、外部から送信される信号の受信を監視したり、取得したデジタルカメラ１の周囲の情報を送信する。また、８bitマイコン２は、電源ＯＦＦスイッチがＯＮに操作されてメイン電池２１からの電力の供給が断たれた後、無線部１５で所定の信号が受信されると、外部から認識される変化をデジタルカメラ１に生じさせることなく、さらにデジタルカメラ１の周囲の情報を情報取得手段に取得させる制御を行う。また、Ｉ／Ｆ部１４は、デジタルカメラ１にＵＳＢ（Universal Serial Bus）接続される外部機器とＡＳＩＣ３との間で、ＵＳＢ規格に従った通信を行うインターフェース回路を構成している。
【００１８】
８bitマイコン２には検出部２２が接続されている。検出部２２は、デジタルカメラ１の電池室に装着されているメイン電池２１の着脱状態を監視しており、メイン電池２１が電池室から取り外されたことを検出すると、８bitマイコン２にその検出信号を出力する。８bitマイコン２は、電池室からメイン電池２１が取り外されたことを検出部２２からの検出信号によって検出すると、切換スイッチ２３をＯＮにして、バックアップ電池２０からＡＳＩＣ３および音声入出力部１２へ電力を供給させる。そして、ＡＳＩＣ３は、バックアップ電池２０から供給される電力を用いて音声入出力部１２を制御し、警告音を出力する。ＡＳＩＣ３および音声入出力部１２は、情報取得部による情報取得中にメイン電池２１がデジタルカメラ１から取り外された場合に、バックアップ電池２０から供給される電力を用いて、警告音によって警告する警告部を構成している。また、上述した補助電源であるバックアップ電池２０は、メイン電池２１がデジタルカメラ１の装置本体から取り外された際に、警告部に電力を供給する副電源部を構成している。
【００１９】
図２は、電源ＯＦＦスイッチがＯＮに操作されたときに行われる情報取得処理の概略を示すフローチャートである。
【００２０】
この情報取得処理では、まず、図２，Ｓ１において、検出部２２から検出信号が出力されているか否かが８bitマイコン２によって判別される。この判別により、デジタルカメラ１の電池室からメイン電池２１が取り外されたか否かが検出される。メイン電池２１が取り外されていてＳ１の判別が“ＹＥＳ”である場合、８bitマイコン２は、切換スイッチ２３をＯＮにして、バックアップ電池２０からＡＳＩＣ３および音声入出力部１２へ電力を供給させる。ＡＳＩＣ３は、この電力供給を受け、Ｓ２において、音声入出力部１２を制御し、スピーカから警告音を出力させる。
【００２１】
一方、メイン電池２１が取り外されていなくてＳ１の判別が“ＮＯ”である場合、ＡＳＩＣ３は、Ｓ３において、電源ＯＦＦスイッチがＯＮに操作されたか否か、つまり、デジタルカメラ１の電源を切る操作が行われたか否かを判別する。この判別が“ＮＯ”である場合、処理はＳ１に戻る。一方、電源ＯＦＦスイッチがＯＮに操作されてＳ３の判別が“ＹＥＳ”である場合、次に、ＡＳＩＣ３は、Ｓ４において、指紋検出センサ部９によって指紋検出処理を行う。そして、ＡＳＩＣ３は、Ｓ５において、検出された指紋とフラッシュメモリ１０に予め登録されている正当利用者の指紋とが一致するか否かを、判別する。各指紋が一致せず、Ｓ５の判別が“ＮＯ”である場合、ＡＳＩＣ３は、Ｓ６において、表示部１４や電源ランプ１７といった表示系をＯＦＦにして、電源が切れた状態に見せかけながらデジタルカメラ１の周囲の情報を取得する見せかけ処理を行う。
【００２２】
この見せかけ処理では、ＡＳＩＣ３は、鏡筒部４、撮像部５、モータ制御部６、音声入出力部１２、および位置情報検出部１１などの、デジタルカメラ１の周囲の情報の取得に必要な部分を起動したままにし、撮像部５、音声入出力部１２、および位置情報検出部１１から、それぞれ、動画または静止画の画像、音声、および位置情報といったデジタルカメラ１の周囲の情報を取得する。この際、ＡＳＩＣ３は、鏡筒部４に設けられたレンズバリアを開放したままの状態にし、また、静止画の撮影が行われる際に発生させるレリーズ（シャッター動作）に伴うレリーズ音は、出力しないように制御する。この見せかけ処理は、予め設定された所定時間、例えば１分間行われる。
【００２３】
次に、ＡＳＩＣ３は、取得した音声情報に基づいて声紋情報を取得する。そして、見せかけ処理で取得した動画または静止画の画像、音声、および位置情報、並びに声紋情報を、Ｓ７でフラッシュメモリ１０に記録する。続いて、ＡＳＩＣ３は、見せかけ処理で取得したデジタルカメラ１の周囲の情報を、Ｓ８において、無線部１５により、予め設定されたメールアドレスを有する外部機器へ転送する。次に、ＡＳＩＣ３は、デジタルカメラ１の周囲の情報の取得に必要な部分の起動を停止し、Ｓ９において、メイン電池２１から回路各部への電力供給を停止させる。
【００２４】
一方、Ｓ５の判別結果が“ＹＥＳ”で、検出された指紋と登録されている指紋とが一致している場合、ＡＳＩＣ３は、Ｓ３の処理で検出された電源ＯＦＦスイッチのＯＮ操作を正当利用者が行ったものと判断し、Ｓ９において、メイン電池２１から回路各部への電力供給を停止させる。
【００２５】
その後、バックアップ電池２０からの電力供給を受けて動作する８bitマイコン２は、Ｓ１０において、外部機器から無線部１５に受信される信号を監視し、遠隔操作の指示を受けたか否かを判別する。この判別は、本実施形態では、８bitマイコン２に対する８bitのカメラ起動コマンドデータ、例えば、「００００１１１１」が、無線部１５において受信されたか否かで行われる。カメラ起動コマンドは、デジタルカメラ１の正当利用者が、紛失や盗難に遭ったデジタルカメラ１の行方を知る手がかりとなる情報を取得する際に、デジタルカメラ１の正当利用者が有するパーソナルコンピュータといった外部機器から送信される。このカメラ起動コマンドは、Ｓ８のデータ転送処理によって得た情報により、正当利用者がデジタルカメラ１の行方の手がかりを得られたときには送信されないため、Ｓ１０の判別結果は“ＮＯ”となり、Ｓ１０の処理が繰り返し行われてデジタルカメラ１は待機状態となる。
【００２６】
一方、外部機器から遠隔操作の指示があり、カメラ起動コマンドデータが受信されてＳ１０の判別結果が“ＹＥＳ”になると、８bitマイコン２は、ＡＳＩＣ３に情報取得信号を送出する。ＡＳＩＣ３は、この信号を受けると、Ｓ１１において、デジタルカメラ１の周囲の情報の取得に必要な回路部分を起動させる。ＡＳＩＣ３は、次に、Ｓ１２およびＳ１３において、Ｓ６およびＳ７の処理と同様に、表示系をＯＦＦにして、画像、音声、位置情報および声紋情報を上述した見せかけ処理によって取得し、取得したこれら情報をフラッシュメモリ１０に記録する。続いて、ＡＳＩＣ３は、見せかけ処理で取得したデジタルカメラ１の周囲の情報を、Ｓ１４において、Ｓ８の処理と同様、無線部１５により、予め設定されたメールアドレスを有する外部機器へ転送する。
【００２７】
次に、ＡＳＩＣ３は、Ｓ１５において、デジタルカメラ１の周囲の情報を取得する処理の終了を指示するカメラ起動停止コマンドを、外部機器から無線部１５に受信したか否かを判別する。この判別が“ＮＯ”である場合、処理はＳ１２に戻り、ＡＳＩＣ３は、デジタルカメラ１の周囲の情報を取得するＳ１２〜Ｓ１４の上述した処理を繰り返して行う。一方、カメラ起動停止コマンドを外部機器から無線部１５に受信して、Ｓ１５の判別が“ＹＥＳ”である場合、ＡＳＩＣ３は、Ｓ１６において、電源ＯＦＦスイッチがＯＮに操作されて電源が切られたときに行う通常終了処理を行う。この通常終了処理により、デジタルカメラ１は、撮影をするために電源ＯＮスイッチが操作されたか否かを判断するといった、電源ＯＦＦ時における処理を行う。Ｓ２またはＳ１６の処理が終了すると、情報取得処理は終了する。
【００２８】
このような本実施形態によるデジタルカメラ１によれば、上述したように、デジタルカメラ１の電源ＯＦＦスイッチが不正利用者によってＯＮに操作されたことが図２，Ｓ３の処理で検出されると、ＡＳＩＣ３の制御に基づき、外部から認識される変化をデジタルカメラ１に生じさせることなく、図２，Ｓ６およびＳ７の処理で、情報取得手段によって、画像や音声、位置情報などのデジタルカメラ１の周囲の情報が取得される。このため、不正利用者に認識されない状態で情報取得手段によりデジタルカメラ１の周囲の情報が取得されるため、不正利用者によってデジタルカメラ１の周囲の情報の収集が妨げられてしまうことが防止される。
【００２９】
また、本実施形態では、電源ＯＦＦスイッチをＯＮにする操作が図２，Ｓ３の処理で検出されて、Ｓ５の判別結果が“ＮＯ”になって所定の条件が成立すると、上記のようにＳ６およびＳ７の処理で、情報取得手段によりデジタルカメラ１の周囲の情報が取得される。また、電源ＯＦＦスイッチをＯＮにする操作が図２，Ｓ３の処理で検出されても、Ｓ５の判別結果が“ＹＥＳ”になって所定の条件が成立しない場合には、情報取得手段によるデジタルカメラ１の周囲の情報の取得は行われない。このため、正当利用者が単にデジタルカメラ１の不使用時に電源ＯＦＦスイッチのＯＮ操作を行ったときなどのように、デジタルカメラ１の周囲の情報を取得する必要のない場合には、ＡＳＩＣ３によって情報取得手段が作動させられないので、メイン電池２１の電力が無駄に消費されてしまうことが防止されると共に、デジタルカメラ１の使用時の利便性が高められる。
【００３０】
また、本実施形態では、電源ＯＦＦスイッチのＯＮ操作が行われる際、デジタルカメラ１に利用者の指が触れると、触れた指の指紋が図２，Ｓ４の処理で指紋検出センサ部９によって検出される。そして、指紋比較手段により、Ｓ５において、検出された指紋と予めフラッシュメモリ１０に登録されている指紋とが比較される。この比較の結果が一致せず、所定の条件が成立すると、Ｓ６およびＳ７において、情報取得手段によりデジタルカメラ１の周囲の情報が取得される。このため、予め正当利用者の指紋をフラッシュメモリ１０に登録しておくことにより、不正利用者によるデジタルカメラ１の利用時にのみ、情報取得手段によってデジタルカメラ１の周囲の情報が取得されるようになり、デジタルカメラ１の使用時の利便性が高められる。
【００３１】
また、本実施形態では、図２，Ｓ６の処理により、表示部１４や電源ランプ１７などの表示系がＡＳＩＣ３の制御によってＯＦＦにされた状態で、情報取得手段によってデジタルカメラ１の周囲の情報が取得される。このため、表示部１４に情報が表示されたり、電源ランプ１７が点灯することで、情報取得手段によるデジタルカメラ１の周囲の情報の取得が不正利用者に知られてしまうことを防止することができる。
【００３２】
また、本実施形態では、ＡＳＩＣ３の制御により、レリーズ音が生じない状態で、撮像部５によって画像の撮影が行われ、撮影された画像がデジタルカメラ１の周囲の情報として情報取得手段により取得される。このため、レリーズ音の発生によって情報取得手段による周囲の画像の取得が不正利用者に知られてしまうことを防止することができる。
【００３３】
また、本実施形態では、情報取得手段によって取得されるデジタルカメラ１の周囲の情報は、図２，Ｓ８の処理で、無線部１５により、予め設定されたメールアドレスを有する外部機器へ転送される。このため、正当利用者は、デジタルカメラ１の行方が分からない場合に、無線部１５によって送信される情報に基づいて、デジタルカメラ１の行方を知る手がかりとなるデジタルカメラ１の周囲の情報を得ることができる。
【００３４】
また、本実施形態では、デジタルカメラ１の正当利用者が有するパーソナルコンピュータといった外部機器から送信されるカメラ起動コマンドが、図２，Ｓ１０の処理において無線部１５で受信されると、ＡＳＩＣ３の制御に基づき、Ｓ１２，Ｓ１３の処理において、さらに、情報取得手段によりデジタルカメラ１の周囲の情報が取得される。このため、正当利用者は、Ｓ８の処理で無線部１５によって送信されるデジタルカメラ１の周囲の情報を把握した後に、把握した情報だけでデジタルカメラ１の行方を知る手がかりとなる情報が十分に得られていない場合には、カメラ起動コマンドを送信することで、情報取得手段によってデジタルカメラ１の周囲の情報をさらに取得することができる。
【００３５】
また、本実施形態では、メイン電池２１がデジタルカメラ１の電池室から取り外されたことが図２，Ｓ１の処理で検出されると、ＡＳＩＣ３の制御に基づき、Ｓ２の処理において、バックアップ電池２０から供給される電力を用いて、音声入出力部１２のスピーカから警告音が出力される。このため、デジタルカメラ１を作動させないようにするため、不正利用者によってデジタルカメラ１からメイン電池２１が取り外されると、警告音によって直ちに周囲の者に報知されるようになり、不正利用者によるデジタルカメラ１の不正行為の早期発見が可能となる。
【００３６】
なお、上記実施形態では、鏡筒部４がデジタルカメラ１の筐体に内蔵されている場合を説明したが、本発明はこれに限られるものではない。例えば、鏡筒部４は、焦点距離の調節や被写体のズーム時にデジタルカメラ１の筐体から突出する沈胴式に構成されていてもよい。この構成においては、図２，Ｓ６の見せかけ処理においてデジタルカメラ１の周囲の情報が取得される際に、鏡筒部４がデジタルカメラ１の筐体から突出しないよう制御されることにより、上記実施形態と同様の作用効果が奏される。
【００３７】
また、上記実施形態では、図２，Ｓ５の判別処理で、指紋検出センサ部９によって検出された指紋が予めフラッシュメモリ１０に登録されている指紋と一致すると、Ｓ１０の処理において遠隔操作の指示を待つように構成した場合について説明したが、本発明はこれに限られるものではない。例えば、指紋検出センサ部９によって検出された指紋が予めフラッシュメモリ１０に登録されている指紋と一致すると、Ｓ１６の処理により、デジタルカメラ１の通常終了処理が行われる構成とすることも可能である。
【００３８】
また、上記実施形態では、電源ＯＦＦスイッチのＯＮ操作が行われた後、指紋検出センサ部９によって検出された指紋と予めフラッシュメモリ１０に登録されている指紋とが図２，Ｓ５の判別処理で一致しないと、所定の条件が成立し、Ｓ６およびＳ７の処理で、情報取得手段によりデジタルカメラ１の周囲の情報が取得される場合について説明したが、本発明はこれに限られるものではない。例えば、電源ＯＦＦスイッチのＯＮ操作が行われるのが検出されてから、デジタルカメラ１の正当利用者が有するパーソナルコンピュータといった外部機器から送信されるカメラ起動コマンドが無線部１５で受信されると、所定の条件が成立し、ＡＳＩＣ３の制御に基づき、情報取得手段によりデジタルカメラ１の周囲の情報が取得されるように構成してもよい。この構成によれば、正当利用者は、デジタルカメラ１を紛失したり、盗難されたりした場合に、外部機器からデジタルカメラ１に対してカメラ起動コマンドを送信することで、所望のときに容易に、情報取得手段にデジタルカメラ１の周囲の情報を取得させることができる。
【００３９】
上記実施形態では情報処理装置としてデジタルカメラを例に説明したが、その他の情報処理装置、例えばデジタルビデオカメラ、携帯電話機、スマートフォン、オーディオプレーヤーなどに適用することも可能である。このような情報処理装置に本発明を適用した場合においても、上記実施形態と同様の作用効果が奏される。
【符号の説明】
【００４０】
１…デジタルカメラ
２…８bitマイコン
３…ＡＳＩＣ
４…鏡筒部
５…撮像部
９…指紋検出センサ部
１０…フラッシュメモリ
１１…位置情報検出部
１２…音声入出力部
１３…スイッチ操作部
１４…表示部
１５…無線部
１７…電源ランプ
２０…バックアップ電池
２１…メイン電池
２２…検出部
２３…切換スイッチ
【図１】
2010199652.tif 000003
【図２】
2010199652.tif 000004